(57)【要約】【課題】プランジャロッドの意図しない移動を防止するとともに、液剤の投与量を微調整する。【解決手段】先端に液剤出入口および後端に開口が設けられたバレル１１０と、先端側に設けられてバレル１１０の内周面と摺接するガスケット部、および、ガスケット部に接続された軸部１２１を含むプランジャロッド１２０と、バレル１１０の上記後端に隣接するようにバレル１１０に取り付けられており、プランジャロッド１２０の軸部１２１と螺合する螺合部材１３０とを備える。螺合部材１３０は、プランジャロッド１２０の軸部１２１に対して接離可能に設けられている。【選択図】図３
2018033937.tif 000002
【特許請求の範囲】
【請求項１】
先端に液剤出入口および後端に開口が設けられたバレルと、
先端側に設けられて前記バレルの内周面と摺接するガスケット部、および、該ガスケット部に接続された軸部を含むプランジャロッドと、
前記バレルの前記後端に隣接するように前記バレルに取り付けられており、前記プランジャロッドの前記軸部と螺合する螺合部材とを備え、
前記螺合部材は、前記プランジャロッドの前記軸部に対して接離可能に設けられている、シリンジ。
【請求項２】
前記軸部の外周および前記螺合部材の内周の少なくとも一方に、螺旋溝が設けられている、請求項１に記載のシリンジ。
【請求項３】
前記螺合部材の内周に前記螺旋溝が設けられている、請求項２に記載のシリンジ。
【請求項４】
前記螺合部材は、内周が拡径するように弾性変形可能に設けられている、請求項２または請求項３に記載のシリンジ。
【請求項５】
前記螺合部材は、Ｃ字状部、該Ｃ字状部の一端に繋がっている固定端部、および、前記Ｃ字状部の他端に繋がっている自由端部を含み、
前記固定端部は、前記バレルに固定されており、
前記自由端部が前記軸部の周方向に沿って前記固定端部から離れるように移動することにより、前記Ｃ字状部の内周が拡径する、請求項４に記載のシリンジ。
【請求項６】
前記バレルの前記後端にフランジが設けられており、
前記フランジには、前記螺合部材が弾性変形する際に前記螺合部材の一部と摺接して係合する案内溝が設けられている、請求項４に記載のシリンジ。
【請求項７】
前記螺合部材は、前記軸部との螺合部が前記軸部に対して接離するように前記軸部の径方向にスライド可能に設けられている、請求項２または請求項３に記載のシリンジ。
【請求項８】
前記螺合部材は、前記軸部の径方向に押圧される被押圧部を含み、
前記被押圧部が押圧されることにより、前記螺合部が前記軸部から離れるように、前記螺合部材が前記軸部の径方向にスライドする、請求項７に記載のシリンジ。
【請求項９】
前記螺合部材は、前記被押圧部が押圧されることにより撓曲して前記螺合部を前記軸部に近づく方向に付勢する付勢部を含む、請求項８に記載のシリンジ。
【請求項１０】
前記螺合部材は、前記螺合部および前記被押圧部を含む環状部を有し、
前記環状部において、前記螺合部と、前記被押圧部とは、前記軸部の径方向にて互いに対向し、
前記付勢部は、前記環状部における前記螺合部の両端から分岐して、前記螺合部に沿うように湾曲しつつ前記環状部の外側に延在する１対の湾曲部で構成されている、請求項９に記載のシリンジ。
【請求項１１】
前記バレルの前記後端にフランジが設けられており、
前記フランジには、前記付勢部と摺接可能に当接する案内壁が取り付けられている、請求項９または請求項１０に記載のシリンジ。
【発明の詳細な説明】
【技術分野】
【０００１】
本発明は、シリンジに関し、特に、シリンジポンプに使用可能なシリンジに関する。
【背景技術】
【０００２】
シリンジの構成を開示した先行文献として、国際公開第２００７／０３２３５２号（特許文献１）、特開２０１５−１２８４５６号公報（特許文献２）、特開２０１３−２２６１９８号公報（特許文献３）、特開２０１３−２２６１９７号公報（特許文献４）、および、特開２０１３−２２６１９３号公報（特許文献５）がある。
【先行技術文献】
【特許文献】
【０００３】
【特許文献１】国際公開第２００７／０３２３５２号
【特許文献２】特開２０１５−１２８４５６号公報
【特許文献３】特開２０１３−２２６１９８号公報
【特許文献４】特開２０１３−２２６１９７号公報
【特許文献５】特開２０１３−２２６１９３号公報
【発明の概要】
【発明が解決しようとする課題】
【０００４】
シリンジポンプにおいて、シリンジが正しく装着されていない場合、ポンプの制御に関係なくシリンジ内の液剤が投与される「サイフォニング」という現象が生じることがある。この問題が発生することを防止するためには、プランジャロッドが意図せずに前方に移動することを規制できる構成であることが必要である。特許文献１では、プランジャロッドを固定する構成が開示されている。
【０００５】
また、シリンジを用いて微量の液剤を投与する必要がある場合がある。この場合、プランジャロッドをバレル内に押し込む際の初動抵抗が大きいことに起因して、プランジャロッドの押し込み量の精度がばらつき、必要量以上の液剤が投与されることがあり、液剤の投与量を微調整することが難しい。
【０００６】
本発明は上記の問題点に鑑みてなされたものであって、プランジャロッドの意図しない移動を防止することができるとともに、液剤の投与量を微調整することができる、シリンジを提供することを目的とする。
【課題を解決するための手段】
【０００７】
本発明に基づくシリンジは、先端に液剤出入口および後端に開口が設けられたバレルと、先端側に設けられてバレルの内周面と摺接するガスケット部、および、ガスケット部に接続された軸部を含むプランジャロッドと、バレルの上記後端に隣接するようにバレルに取り付けられており、プランジャロッドの軸部と螺合する螺合部材とを備える。螺合部材は、プランジャロッドの軸部に対して接離可能に設けられている。
【０００８】
本発明の一形態においては、軸部の外周および螺合部材の内周の少なくとも一方に、螺旋溝が設けられている。
【０００９】
本発明の一形態においては、螺合部材の内周に螺旋溝が設けられている。
本発明の一形態においては、螺合部材は、内周が拡径するように弾性変形可能に設けられている。
【００１０】
本発明の一形態においては、螺合部材は、Ｃ字状部、Ｃ字状部の一端に繋がっている固定端部、および、Ｃ字状部の他端に繋がっている自由端部を含む。固定端部は、バレルに固定されている。自由端部が軸部の周方向に沿って固定端部から離れるように移動することにより、Ｃ字状部の内周が拡径する。
【００１１】
本発明の一形態においては、バレルの上記後端にフランジが設けられている。フランジには、螺合部材が弾性変形する際に螺合部材の一部と摺接して係合する案内溝が設けられている。
【００１２】
本発明の一形態においては、螺合部材は、軸部との螺合部が軸部に対して接離するように軸部の径方向にスライド可能に設けられている。
【００１３】
本発明の一形態においては、螺合部材は、軸部の径方向に押圧される被押圧部を含む。被押圧部が押圧されることにより、螺合部が軸部から離れるように、螺合部材が軸部の径方向にスライドする。
【００１４】
本発明の一形態においては、螺合部材は、被押圧部が押圧されることにより撓曲して螺合部を軸部に近づく方向に付勢する付勢部を含む。
【００１５】
本発明の一形態においては、螺合部材は、螺合部および被押圧部を含む環状部を有する。環状部において、螺合部と、被押圧部とは、軸部の径方向にて互いに対向している。付勢部は、環状部における螺合部の両端から分岐して、螺合部に沿うように湾曲しつつ環状部の外側に延在する１対の湾曲部で構成されている。
【００１６】
本発明の一形態においては、バレルの後端にフランジが設けられている。フランジには、付勢部と摺接可能に当接する案内壁が取り付けられている。
【発明の効果】
【００１７】
本発明によれば、プランジャロッドの意図しない移動を防止することができるとともに、液剤の投与量を微調整することができる。
【図面の簡単な説明】
【００１８】
【図１】本発明の実施形態１に係るシリンジの外観を示す斜視図である。
【図２】図１のシリンジを矢印ＩＩ方向から見た図である。
【図３】図２のシリンジを矢印ＩＩＩ方向から見た図である。
【図４】図２のシリンジを矢印ＩＶ方向から見た透視図である。
【図５】本発明の実施形態１に係るシリンジが備えるバレルの外観を示す側面図である。
【図６】図５のバレルを矢印ＶＩ方向から見た図である。
【図７】本発明の実施形態１に係るシリンジが備えるプランジャロッドの外観を示す斜視図である。
【図８】図７のプランジャロッドを矢印ＶＩＩＩ方向から見た側面図である。
【図９】本発明の実施形態１に係るシリンジが備える螺合部材の外観を示す斜視図である。
【図１０】図９の螺合部材を矢印Ｘ方向から見た斜視図である。
【図１１】図９の螺合部材を矢印ＸＩ方向から見た側面図である。
【図１２】図１１の螺合部材を矢印ＸＩＩ方向から見た図である。
【図１３】本発明の実施形態２に係るシリンジの外観を示す斜視図である。
【図１４】図１３のシリンジを矢印ＸＩＶ方向から見た図である。
【図１５】図１３のシリンジを矢印ＸＶ方向から見た図である。
【図１６】図１４のシリンジをＸＶＩ−ＸＶＩ線矢印方向から見た断面図である。
【図１７】本発明の実施形態２に係るシリンジの構成を示す分解斜視図である。
【図１８】本発明の実施形態２に係るシリンジが備える螺合部材の外観を示す正面図である。
【図１９】本発明の実施形態２に係るシリンジが備える螺合部材の外観を示す斜視図である。
【図２０】本発明の実施形態２に係るシリンジが備える第１取付部材の外観を示す斜視図である。
【図２１】本発明の実施形態２に係るシリンジが備える第２取付部材の外観を示す斜視図である。
【図２２】本発明の実施形態２に係るシリンジが備える取付部材の外観を示す斜視図である。
【図２３】本発明の実施形態２に係るシリンジにおいて被押圧部が押圧された状態を示す図である。
【発明を実施するための形態】
【００１９】
以下、本発明の各実施形態に係るシリンジについて図面を参照して説明する。以下の実施形態の説明においては、図中の同一または相当部分には同一符号を付して、その説明は繰り返さない。
【００２０】
(実施形態１)
図１は、本発明の実施形態１に係るシリンジの外観を示す斜視図である。図２は、図１のシリンジを矢印ＩＩ方向から見た図である。図３は、図２のシリンジを矢印ＩＩＩ方向から見た図である。図４は、図２のシリンジを矢印ＩＶ方向から見た透視図である。図１〜４に示すように、本発明の実施形態１に係るシリンジ１００は、バレル１１０とプランジャロッド１２０と螺合部材１３０とを備える。
【００２１】
図５は、本発明の実施形態１に係るシリンジが備えるバレルの外観を示す側面図である。図６は、図５のバレルを矢印ＶＩ方向から見た図である。図７は、本発明の実施形態１に係るシリンジが備えるプランジャロッドの外観を示す斜視図である。図８は、図７のプランジャロッドを矢印ＶＩＩＩ方向から見た側面図である。図７，８においては、後述するガスケット部を図示していない。
【００２２】
図９は、本発明の実施形態１に係るシリンジが備える螺合部材の外観を示す斜視図である。図１０は、図９の螺合部材を矢印Ｘ方向から見た斜視図である。図１１は、図９の螺合部材を矢印ＸＩ方向から見た側面図である。図１２は、図１１の螺合部材を矢印ＸＩＩ方向から見た図である。図１２においては、後述するように内周が拡径した状態のＣ字状部１３２ａを２点鎖線で示している。
【００２３】
図１〜６に示すように、バレル１１０は、内部に液剤を収容する円筒状の収容部１１１を有する。バレル１１０の先端には、液剤出入口１１２が設けられている。バレル１１０の後端には、開口１１４が設けられている。具体的には、収容部１１１の先端側において、注射針などが取り付け可能な液剤出入口１１２が設けられている。収容部１１１の後端側において、収容部１１１の軸心と互いに垂直である後端面を有するフランジ１１３が、開口１１４の周囲に設けられている。
【００２４】
フランジ１１３には、第１貫通孔１１３ａ、２つの第２貫通孔１１３ｂ、第１案内溝１１３ｃ、第２案内溝１１３ｄおよび第３案内溝１１３ｅが設けられている。第１貫通孔１１３ａ、２つの第２貫通孔１１３ｂ、第１案内溝１１３ｃ、第２案内溝１１３ｄおよび第３案内溝１１３ｅは、収容部１１１の軸心の周方向に略沿って設けられている。
【００２５】
第１貫通孔１１３ａは、２つの第２貫通孔１１３ｂの間に設けられている。第１案内溝１１３ｃは、収容部１１１の軸心の周方向の一方側に行くに従って開口１１４から離れるように設けられている内壁部１１３ｃ１を含む。
【００２６】
第２案内溝１１３ｄは、収容部１１１の軸心の周方向の一方側に行くに従って開口１１４から離れるように設けられている内壁部１１３ｄ１、および、収容部１１１の軸心の周方向の一方側の端部に位置する大径部１１３ｄ２を含む。
【００２７】
第３案内溝１１３ｅは、収容部１１１の軸心の周方向の一方側に行くに従って開口１１４から離れるように設けられている内壁部１１３ｅ１、および、収容部１１１の軸心の周方向の他方側の端部に位置して開口１１４に近接するストッパー部１１３ｅ２を含む。
【００２８】
バレル１１０は、ポリプロピレンなどの透明または半透明の樹脂にて構成されている。バレル１１０の内周面に、シリコーンオイルなどの潤滑油が塗布されていてもよい。
【００２９】
図１〜４，７，８に示すように、プランジャロッド１２０の先端側には、バレル１１０の内周面と摺接するガスケット部１２２が設けられている。プランジャロッド１２０の後端には、フランジ部１２３が設けられている。プランジャロッド１２０は、ガスケット部１２２とフランジ部１２３とを接続する軸部１２１を含む。
【００３０】
軸部１２１のガスケット部１２２側の端部に、円板部１２５が設けられている。円板部１２５の直径は、収容部１１１の内径より僅かに小さい。円板部１２５の軸部１２１側とは反対側に、突出片部１２４が設けられている。
【００３１】
具体的には、ガスケット部１２２は、突出片部１２４に取り付けられて、円板部１２５と隣接している。ガスケット部１２２は、収容部１１１の内径より僅かに大きい外径を有する。ガスケット部１２２は、加硫ゴムまたは熱可塑性エラストマなどの弾性体で構成されている。ガスケット部１２２は、収容部１１１内に挿入された状態で、収容部１１１の内周面と全周に亘って密着する。
【００３２】
本実施形態においては、軸部１２１、フランジ部１２３、突出片部１２４および円板部１２５は、ポリプロピレンなどの樹脂を射出成形することにより一体で構成されている。
【００３３】
軸部１２１の少なくとも一部は、軸心から放射状に突出した板状部を含む。本実施形態においては、軸部１２１は、互いに直交する２つの板状部から構成されて、横断面にて略十字形状を有する。軸部１２１の少なくとも一部を横断面にて略十字形状とすることにより、使用する樹脂材料を削減しつつ軸部１２１の剛性を確保して、バレル１１０の内部に押し込まれる際のプランジャロッド１２０の変形を抑制することができる。
【００３４】
ただし、軸部１２１の形状は、上記に限られず、バレル１１０の内部に押し込まれる際のプランジャロッド１２０の変形を抑制可能な形状であればよい。たとえば、軸部１２１の少なくとも一部が、横断面にて星印形状または円形状を有していてもよい。
【００３５】
本実施形態においては、軸部１２１の外周に、後述する螺合部材１３０の内周に設けられた螺旋溝１３２ｓと螺合する溝状部１２１ｓが設けられている。図４に示すように、軸部１２１の外周の直径はＤ３である。なお、軸部１２１が円柱状の外形を有している場合には、軸部１２１の外周に、螺合部材１３０の内周に設けられた螺旋溝１３２ｓと螺合する螺旋溝が設けられる。
【００３６】
図１〜４，９〜１２に示すように、螺合部材１３０は、Ｃ字状部１３２、Ｃ字状部１３２の一端に繋がっている固定端部１３１、および、Ｃ字状部１３２の他端に繋がっている自由端部１３３を含む。Ｃ字状部１３２の内周に、螺旋溝１３２ｓが設けられている。
【００３７】
本実施形態においては、固定端部１３１、Ｃ字状部１３２および自由端部１３３は、ポリプロピレンなどの樹脂を射出成形することにより一体で構成されている。
【００３８】
固定端部１３１は、第１貫通孔１１３ａと嵌合する突出部１３１ｐ、および、２つの第２貫通孔１１３ｂと係止する２つの係止片部１３１ｎを含む。
【００３９】
Ｃ字状部１３２は、Ｃ字状部１３２の外周側に各々設けられ、第１案内溝１１３ｃと摺接して係合する第１突出片部１３４、および、第２案内溝１１３ｄと摺接して係合する第２突出片部１３５を含む。
【００４０】
第１突出片部１３４の先端には、抜け止め用の大径部が設けられている。第１突出片部１３４の大径部には、大径部の径方向に延びる分割溝が設けられている。分割溝の対向する内壁同士が近づくように大径部が縮径した際の直径は、第１案内溝１１３ｃの幅より小さい。そのため、第１突出片部１３４の大径部を、縮径させた状態で第１案内溝１１３ｃを通過させることにより、第１突出片部１３４を第１案内溝１１３ｃに挿通することができる。
【００４１】
第２突出片部１３５の先端には、抜け止め用の大径部が設けられている。第２突出片部１３５の大径部の直径は、第２案内溝１１３ｄの大径部１１３ｄ２の直径より小さい。そのため、第２突出片部１３５の大径部を、第２案内溝１１３ｄの大径部１１３ｄ２を通過させることにより、第２突出片部１３５を第２案内溝１１３ｄに挿通することができる。
【００４２】
自由端部１３３は、Ｃ字状部１３２の外周側に設けられ、第３案内溝１１３ｅと摺接して係合する第３突出片部１３６を含む。第３案内溝１１３ｅの先端には、抜け止め用の大径部が設けられている。第３突出片部１３６の大径部には、大径部の径方向に延びる分割溝が設けられている。分割溝の対向する内壁同士が近づくように大径部が縮径した際の直径は、第３案内溝１１３ｅの幅より小さい。そのため、第３突出片部１３６の大径部を、縮径させた状態で第３案内溝１１３ｅを通過させることにより、第３突出片部１３６を第３案内溝１１３ｅに挿通することができる。
【００４３】
螺合部材１３０は、バレル１１０のフランジ１１３に隣接するようにバレル１１０に取り付けられている。具体的には、固定端部１３１は、バレル１１０のフランジ１１３に固定されている。突出部１３１ｐと第１貫通孔１１３ａとが嵌合し、係止片部１３１ｎと第２貫通孔１１３ｂとが互いに係合している。なお、本実施形態においては、固定端部１３１がフランジ１１３に固定されているが、これに限られず、たとえば、固定端部１３１が収容部１１１の外周に固定されていてもよい。この場合は、フランジ１１３が設けられていなくてもよい。
【００４４】
螺合部材１３０は、Ｃ字状部１３２の内周が拡径するように弾性変形可能に設けられている。図１２に示すように、自由端部１３３に荷重が負荷されていない状態において、Ｃ字状部１３２の内周の直径はＤ１である。自由端部１３３に荷重が負荷されて、自由端部１３３が矢印１で示すように軸部１２１の周方向に沿って固定端部１３１から離れるように移動した状態において、Ｃ字状部１３２ａの内周の直径はＤ２である。Ｄ２＞Ｄ１である。すなわち、自由端部１３３が軸部１２１の周方向に沿って固定端部１３１から離れるように移動することにより、Ｃ字状部１３２の内周が拡径する。
【００４５】
Ｃ字状部１３２の内周の直径Ｄ１は、軸部１２１の外周の直径Ｄ３より小さい。よって、自由端部１３３に荷重が負荷されていない状態において、螺合部材１３０は軸部１２１と接しており、螺旋溝１３２ｓと溝状部１２１ｓとは互いに螺合している。
【００４６】
Ｃ字状部１３２ａの内周の直径Ｄ２は、軸部１２１の外周の直径Ｄ３より大きい。よって、自由端部１３３に荷重が負荷されている状態において、螺合部材１３０は軸部１２１と接しておらず、螺旋溝１３２ｓと溝状部１２１ｓとは互いに螺合していない。このように、螺合部材１３０は、プランジャロッド１２０の軸部１２１に対して接離可能に設けられている。
【００４７】
上記のように、第１案内溝１１３ｃの内壁部１１３ｃ１は、収容部１１１の軸心の周方向の一方側に行くに従って開口１１４から離れるように設けられている。第２案内溝１１３ｄの内壁部１１３ｄ１は、収容部１１１の軸心の周方向の一方側に行くに従って開口１１４から離れるように設けられている。第３案内溝１１３ｅの内壁部１１３ｅ１は、収容部１１１の軸心の周方向の一方側に行くに従って開口１１４から離れるように設けられている。
【００４８】
そのため、自由端部１３３が矢印１で示すように軸部１２１の周方向に沿って固定端部１３１から離れるように移動した際、内壁部１１３ｃ１と第１突出片部１３４とが摺接して係合し、内壁部１１３ｄ１と第２突出片部１３５とが摺接して係合し、内壁部１１３ｅ１と第３突出片部１３６とが摺接して係合する。その結果、自由端部１３３への荷重の負荷が停止された後も、Ｃ字状部１３２の内周が拡径した状態が維持される。上記の係合を解除する際には、自由端部１３３が元の位置に戻るように、自由端部１３３を軸部１２１の周方向に沿って固定端部１３１に近づくように移動させる。
【００４９】
本実施形態においては、内壁部１１３ｃ１と第１突出片部１３４とが係合し、内壁部１１３ｄ１と第２突出片部１３５とが係合し、内壁部１１３ｅ１と第３突出片部１３６とが係合する構成となっているが、この構成に限られず、たとえば、内壁部１１３ｄ１と第２突出片部１３５とのみが係合し、内壁部１１３ｃ１と第１突出片部１３４とが係合せず、内壁部１１３ｅ１と第３突出片部１３６とが係合しない構成であってもよい。
【００５０】
本実施形態に係るシリンジ１００においては、Ｃ字状部１３２の内周が拡径していない状態において、螺合部材１３０が軸部１２１と接しており、螺旋溝１３２ｓと溝状部１２１ｓとが互いに螺合しているため、プランジャロッド１２０の意図しない移動を防止することができる。
【００５１】
また、この状態において、バレル１１０とプランジャロッド１２０とを軸部１２１の周方向に相対的に回転させることにより、プランジャロッド１２０をバレル１１０内に少しずつねじ込むことができる。これにより、液剤の投与量を微調整することができる。
【００５２】
さらに、Ｃ字状部１３２の内周が拡径した状態において、螺合部材１３０は軸部１２１と接しておらず、螺旋溝１３２ｓと溝状部１２１ｓとが互いに螺合していないため、プランジャロッド１２０を、バレル１１０内に挿入またはバレル１１０内から引き出すことができる。
【００５３】
よって、本実施形態に係るシリンジ１００は、シリンジポンプに装着された後、液剤の投与を開始する際にＣ字状部１３２の内周が拡径した状態にして維持することにより、プランジャロッド１２０をポンプによってバレル１１０内にスライドさせて挿入することができ、通常のシリンジと同様に液剤を投与することもできる。また、シリンジ１００は、シリンジポンプに装着される場合に限られず、Ｃ字状部１３２の内周が拡径した状態で維持することにより、通常のシリンジと同様に手動でプランジャロッド１２０をスライド移動させて液剤を投与することもできる。
【００５４】
(実施形態２)
以下、本発明の実施形態２に係るシリンジについて図を参照して説明する。本発明の実施形態２に係るシリンジは、螺合部材の構造が主に、実施形態１に係るシリンジと異なるため、実施形態１に係るシリンジと同様である構成については説明を繰り返さない。
【００５５】
図１３は、本発明の実施形態２に係るシリンジの外観を示す斜視図である。図１４は、図１３のシリンジを矢印ＸＩＶ方向から見た図である。図１５は、図１３のシリンジを矢印ＸＶ方向から見た図である。図１６は、図１４のシリンジをＸＶＩ−ＸＶＩ線矢印方向から見た断面図である。図１７は、本発明の実施形態２に係るシリンジの構成を示す分解斜視図である。
【００５６】
図１８は、本発明の実施形態２に係るシリンジが備える螺合部材の外観を示す正面図である。図１９は、本発明の実施形態２に係るシリンジが備える螺合部材の外観を示す斜視図である。図２０は、本発明の実施形態２に係るシリンジが備える第１取付部材の外観を示す斜視図である。図２１は、本発明の実施形態２に係るシリンジが備える第２取付部材の外観を示す斜視図である。図２２は、本発明の実施形態２に係るシリンジが備える取付部材の外観を示す斜視図である。
【００５７】
図１３〜１７に示すように、本発明の実施形態２に係るシリンジ２００は、バレル２１０とプランジャロッド１２０と螺合部材２３０とを備える。シリンジ２００は、螺合部材２３０をバレル２１０に取り付けるための取付部材２４０をさらに備える。取付部材２４０は、第１取付部材２５０と第２取付部材２６０とが互いに組み合わされることにより構成されている。
【００５８】
バレル２１０は、内部に液剤を収容する円筒状の収容部１１１を有する。バレル２１０の先端には、液剤出入口１１２が設けられている。バレル２１０の後端には、開口１１４が設けられている。収容部１１１の後端側において、収容部１１１の軸心と互いに垂直である後端面を有するフランジ２１３が、開口１１４の周囲に設けられている。フランジ２１３は、バレル２１０の軸方向から見て、略楕円状の外形を有している。フランジ２１３には、実施形態１のような貫通孔および案内溝は設けられていない。
【００５９】
バレル２１０は、ポリプロピレンなどの透明または半透明の樹脂にて構成されている。バレル２１０の内周面に、シリコーンオイルなどの潤滑油が塗布されていてもよい。
【００６０】
図１４〜１９に示すように、螺合部材２３０は、環状部２３１および付勢部を含む。環状部２３１は、螺合部２３２、被押圧部２３３、および、互いに対向する１対の直線状延在部２３５を含む。螺合部２３２は、環状部２３１の軸方向から見て、円弧状に湾曲している。螺合部２３２の内周には、螺旋溝２３２ｓが設けられている。螺旋溝２３２ｓは、軸部１２１の外周に設けられた溝状部１２１ｓと螺合可能に設けられている。
【００６１】
被押圧部２３３は、平板状の形状を有し、プランジャロッド１２０の軸部１２１の径方向に押圧される。環状部２３１において、螺合部２３２と、被押圧部２３３とは、プランジャロッド１２０の軸部１２１の径方向にて互いに対向している。１対の直線状延在部２３５の各々は、被押圧部２３３の押圧方向に沿う方向に延在している。１対の直線状延在部２３５の各々の延在方向は、被押圧部２３３を含む仮想平面に対して略垂直である。
【００６２】
付勢部は、環状部２３１における螺合部２３２の両端から分岐して、螺合部２３２に沿うように湾曲しつつ環状部２３１の外側に延在する１対の湾曲部２３４で構成されている。
【００６３】
具体的には、環状部２３１の周方向において、螺合部２３２の一端と、一方の直線状延在部２３５の一端との、接続部から一方の湾曲部２３４が環状部２３１の外側に突出している。環状部２３１の周方向において、螺合部２３２の他端と、他方の直線状延在部２３５の一端との、接続部から他方の湾曲部２３４が環状部２３１の外側に突出している。１対の湾曲部２３４の各々は、先端に行くにしたがって、螺合部２３２から遠ざかっている。１対の湾曲部２３４の各々は、根元を起点にして弾性変形可能に設けられている。
【００６４】
図１３〜１７，２０〜２２に示すように、第１取付部材２５０は、略有底楕円筒状の外形を有している。第１取付部材２５０の底面部には、バレル２１０の収容部１１１が挿入される開口２５１が設けられている。第１取付部材２５０の周壁には、螺合部材２３０の被押圧部２３３が挿入される第１切欠部２５３、および、第１切欠部２５３と対向する位置に第２切欠部２５４が設けられている。第１取付部材２５０の周壁には、後述する第２取付部材２６０のフック部２６２とスナップフィットする開口２５２が設けられている。なお、第１取付部材２５０にフック部が設けられ、このフック部とスナップフィットする開口が第２取付部材２６０に設けられていてもよい。
【００６５】
第２取付部材２６０は、第１取付部材２５０と組み合わされた状態において第１取付部材２５０の底面部と対向する蓋面部を有する。第２取付部材２６０の蓋面部には、プランジャロッド１２０の軸部１２１が挿入される開口２６１が設けられている。蓋面部の外周部から上記４つのフック部２６２が立設されている。第１取付部材２５０と組み合わされた状態において第１切欠部２５３に対応する位置に、開口２６１の縁に沿って第１リブ２６３が立設されている。第１リブ２６３は、螺合部材２３０が取付部材２４０に収容された状態において、被押圧部２３３と対向する。
【００６６】
第２取付部材２６０の蓋面部には、第１取付部材２５０と組み合わされた状態において第１取付部材２５０の第２切欠部２５４に嵌る形状を有する案内壁２６４が立設されている。案内壁２６４は、螺合部材２３０が取付部材２４０に収容された状態において、付勢部と摺接可能に当接する。
【００６７】
第２取付部材２６０の蓋面部には、螺合部材２３０が取付部材２４０に収容された状態において、１対の直線状延在部２３５に沿って延在する１対の第２リブ２６５が立設されている。１対の直線状延在部２３５は、第２リブ２６５同士の間に配置される。
【００６８】
第１リブ２６３および１対の第２リブ２６５と第１取付部材２５０の底面部とにバレル２１０のフランジ２１３が挟み込まれることにより、取付部材２４０がバレル２１０のフランジ２１３に取り付けられる。バレル２１０のフランジ２１３の略楕円状の外形と、第１取付部材２５０の周壁とが係合することにより、取付部材２４０がバレル２１０に対して回り止めされている。
【００６９】
螺合部材２３０は、バレル２１０のフランジ２１３に隣接するようにバレル２１０に取り付けられている。螺合部材２３０は、螺合部２３２が軸部１２１に対して接離するように軸部１２１の径方向にスライド可能に設けられている。被押圧部２３３が押圧されていない状態においては、螺合部２３２は軸部１２１と接しており、螺旋溝２３２ｓと溝状部１２１ｓとは互いに螺合している。
【００７０】
図２３は、本発明の実施形態２に係るシリンジにおいて被押圧部が押圧された状態を示す図である。図２３においては、図１４と同一方向から見て図示している。図２３に示すように、被押圧部２３３が押圧されることにより、螺合部２３２が軸部１２１から離れるように、螺合部材２３０が軸部１２１の径方向にスライドする。
【００７１】
具体的には、矢印２で示すように被押圧部２３３が押圧された際、螺合部材２３０の１対の直線状延在部２３５が、１対の第２リブ２６５に沿いつつスライドし、螺合部材２３０の１対の湾曲部２３４の各々の先端が、案内壁２６４に当接する。被押圧部２３３がさらに押圧されることにより、１対の湾曲部２３４の各々は、案内壁２６４に摺接しつつ撓曲する。その結果、螺合部２３２は、矢印３で示すように軸部１２１の径方向にスライドして、軸部１２１から離間する。この状態において、１対の湾曲部２３４は、元の形状に戻ろうとする弾性力によって、螺合部２３２を軸部１２１に近づく方向に付勢する。
【００７２】
被押圧部２３３の押圧が解除されると、１対の湾曲部２３４の弾性力によって、螺合部２３２が軸部１２１に近づくように、螺合部材２３０が軸部１２１の径方向にスライドし、図１４に示す押圧前の状態に戻る。
【００７３】
本実施形態においては、付勢部は、１対の湾曲部２３４で構成されているが、いずれか一方の湾曲部２３４のみで付勢部が構成されていてもよい。または、付勢部が、ばねなどの弾性体で構成されていてもよい。
【００７４】
本実施形態に係るシリンジ２００においても、被押圧部２３３が押圧されていない状態において、螺合部材２３０が軸部１２１と接しており、螺旋溝２３２ｓと溝状部１２１ｓとが互いに螺合しているため、プランジャロッド１２０の意図しない移動を防止することができる。
【００７５】
また、この状態において、バレル２１０とプランジャロッド１２０とを軸部１２１の周方向に相対的に回転させることにより、プランジャロッド１２０をバレル２１０内に少しずつねじ込むことができる。これにより、液剤の投与量を微調整することができる。
【００７６】
さらに、被押圧部２３３が押圧された状態において、螺合部材２３０は軸部１２１と接しておらず、螺旋溝２３２ｓと溝状部１２１ｓとが互いに螺合していないため、プランジャロッド１２０を、バレル２１０内に挿入またはバレル２１０内から引き出すことができる。
【００７７】
よって、本実施形態に係るシリンジ２００は、シリンジポンプに装着された後、液剤の投与を開始する際に被押圧部２３３が押圧された状態にして維持することにより、プランジャロッド１２０をポンプによってバレル２１０内にスライドさせて挿入することができ、通常のシリンジと同様に液剤を投与することもできる。また、シリンジ２００は、シリンジポンプに装着される場合に限られず、被押圧部２３３が押圧された状態で維持することにより、通常のシリンジと同様に手動でプランジャロッド１２０をスライド移動させて液剤を投与することもできる。
【００７８】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００７９】
１００，２００  シリンジ、１１０，２１０  バレル、１１１  収容部、１１２  液剤出入口、１１３，２１３  フランジ、１１３ａ  第１貫通孔、１１３ｂ  第２貫通孔、１１３ｃ１，１１３ｄ１，１１３ｅ１  内壁部、１１３ｃ  第１案内溝、１１３ｄ２  大径部、１１３ｄ  第２案内溝、１１３ｅ２  ストッパー部、１１３ｅ  第３案内溝、１１４，２５１，２５２，２６１  開口、１２０  プランジャロッド、１２１  軸部、１２１ｓ  溝状部、１２２  ガスケット部、１２３  フランジ部、１２４  突出片部、１２５  円板部、１３０，２３０  螺合部材、１３１  固定端部、１３１ｎ  係止片部、１３１ｐ  突出部、１３２，１３２ａ  Ｃ字状部、１３２ｓ，２３２ｓ  螺旋溝、１３３  自由端部、１３４  第１突出片部、１３５  第２突出片部、１３６  第３突出片部、２３１  環状部、２３２  螺合部、２３３  被押圧部、２３４  湾曲部、２３５  直線状延在部、２４０  取付部材、２５０  第１取付部材、２５３  第１切欠部、２５４  第２切欠部、２６０  第２取付部材、２６２  フック部、２６３  第１リブ、２６４  案内壁、２６５  第２リブ。
【図１】
2018033937.tif 000003
【図２】
2018033937.tif 000004
【図３】
2018033937.tif 000005
【図４】
2018033937.tif 000006
【図５】
2018033937.tif 000007
【図６】
2018033937.tif 000008
【図７】
2018033937.tif 000009
【図８】
2018033937.tif 000010
【図９】
2018033937.tif 000011
【図１０】
2018033937.tif 000012
【図１１】
2018033937.tif 000013
【図１２】
2018033937.tif 000014
【図１３】
2018033937.tif 000015
【図１４】
2018033937.tif 000016
【図１５】
2018033937.tif 000017
【図１６】
2018033937.tif 000018
【図１７】
2018033937.tif 000019
【図１８】
2018033937.tif 000020
【図１９】
2018033937.tif 000021
【図２０】
2018033937.tif 000022
【図２１】
2018033937.tif 000023
【図２２】
2018033937.tif 000024
【図２３】
2018033937.tif 000025